(57)【要約】【課題】貼付後の剥離を容易にする非接着の摘み部を、粘着テープ側縁の長手方向に沿って形成しながら、片手で容易に対象物に貼付可能な、梱包等に用いる幅広の粘着テープ用のカッターを提供する。【解決手段】本体ブラケット１２の一端に粘着テープ巻付体２を回転自在に支持する支持部１１が設けられ、他端に巻付体２から引出した粘着テープ２ａを切取るカット部６設けられる。支持部からカット部に至る粘着テープの引出し経路の途中に、粘着テープの接着面側に配置される接着面側部材と非接着面側に配置される非接着面側部材とからなり、これら両部材間に粘着テープを押圧接触させつつを挿通して引き出すことで、粘着テープの長手方向側縁２ａＳにこれを所定幅で粘着面側に折り返して接着させる重合部形成手段１６が設けられる。支持部の外周には、本体ブラケットに回動自在に装着されて粘着テープ巻付体２の外周面に接して、支持部と共に握持部を形成するテープカバー１４が設けられる。【選択図】      図５
2004331296.tif 000002
【特許請求の範囲】
【請求項１】
一端に粘着テープ巻付体を回転自在に支持する支持部が設けられるとともに、他端に該支持部に支持された粘着テープ巻付体から引き出した粘着テープを切り取るカット部が設けられ本体ブラケットを有し、
該支持部から該カット部に至る粘着テープの引き出し経路の途中には、粘着テープの接着面側に配置される接着面側部材と非接着面側に配置される非接着面側部材とからなり、該両部材間に該粘着テープを掛け回して挿通することにより、該粘着テープの引き出し時に該粘着テープの長手方向に沿って少なくともその一側に、その側縁を所定幅で粘着面側に折り返して非接着部となる重合部を形成する重合部形成手段が該本体ブラケットに設けられ、
該支持部の外周部には、該本体ブラケットに対して回動自在に装着されて該支持部に支持された該粘着テープ巻付体の少なくとも一部分を覆って該粘着テープ巻付体２の外周面に接して握持部を形成するテープカバーが設けられている、
ことを特徴とする粘着テープカッター。
【請求項２】
前記重合部形成手段が、
前記粘着テープの側部に所定の折り曲げ幅を残して前記粘着面側に接触する前記接着面側部材としての折り曲げローラーと、
該折り曲げローラーの端面に対向し、該折り曲げローラに接触していない該粘着テープ側縁の非粘着面側に押圧接触して該側縁を該折り曲げローラーの端面との間に挟んで前記所定幅で粘着面側に折り曲げる前記非接着面側部材としての折り曲げガイド片と、
折り曲げられた該粘着テープ側縁の非粘着面側に押圧接触して該側縁を鋭角に折り返すガイド部を有して、該粘着テープの接着面側に配置された前記接着面側部材としての折り返しガイド片と、
該側縁が折り返された該粘着テープの非接着面側に押圧接触して該側縁が折り返された粘着テープの対向する粘着面同士を重合させて貼り合わせる押圧ローラと、からなることを特徴とする請求項１に記載の粘着テープカッター。
【発明の詳細な説明】
【０００１】
【発明の属する技術分野】
本発明は、梱包用等に多用される幅広の粘着テープ巻付体のテープカッターに係わり、特に粘着テープ巻付体から引き出される粘着テープの長手方向の側部に沿って、その側縁を折り返して粘着面同士を重合させた非接着部を形成して、爾後の剥離が容易に行えるようにしたハンディタイプの粘着テープカッターに関する。
【０００２】
【従来の技術】
粘着テープは、布、セロハン、クラフト紙、ゴム、ポリ塩化ビニルなどの薄膜状の長尺な基材の片面に、ゴムまたは合成樹脂を主材とする粘着剤を塗布したものであり、通常、この粘着テープはロール状に巻かれて粘着テープ巻付体とされて流通されている。そして、この様な粘着テープは様々な接着用途に用いられているが、テープ幅が５０ｍｍ程ある幅広の粘着テープは特に段ボール箱の封緘などの梱包時に多用されている。
【０００３】
また、この様な幅広の粘着テープを梱包時等に使用するにあたっては、粘着テープ巻付体から粘着テープを引き出して所望の長さで切断して対象物に貼り付けることになるが、このような作業を容易にするためのテープカッターとして、粘着テープを貼付する際に、テープカッターを手に持って、その先端に引き出してある粘着テープの粘着面を対象物に押しつけるだけで貼付を可能にしたものが、例えば特開２００１−１４６３５６号公報に示されている。
【０００４】
即ち、この粘着テープホルダーは、ロール状に巻かれた粘着テープに装着する本体の一端に、引き出した粘着テープを添わせるテープ誘導部を形成するとともに、その先端にテープ切断刃を設け、かつ引き出した粘着テープが添う面を、縁より内の部分が盛り上がった形状に形成したる上、表面に複数個の突起を設けたテープ保持部を、当該粘着テープが添う面を覆い跨ぐように設け、且つ、両側端に連結腕を形成しテープ切断刃の先端から、引き出した粘着テープが添う面までを覆い、表面に複数個の突起を設けたカバー板を、テープ保持部の両側端に連結腕で挟み込んで咬合させ、連結腕を貫通しテープ保持部の側面に固定した主軸で廻動自在に取り付ける構造となっている。
【０００５】
【発明が解決しようとする課題】
ところで、梱包などに供されている幅広の粘着テープは、殆どの場合において、一時的な仮止めに用いられており、爾後に引き剥がされるか、あるいは切断されている。ここで、粘着テープは、その基材は薄く、また、基材の片面全体に粘着剤が塗布されているため、貼り付けられた粘着テープを対象物から引き剥がすのは甚だ面倒な作業であった。すなわち、対象物に対して接着面の全面が貼り付いた粘着テープを剥がす際には、粘着テープの外周縁部を爪等で捲り起こして摘み代を形成し、この摘み代を指先で摘んで引き剥がす必要があって、当該摘み代を捲り起こす作業は面倒で甚だ煩わしいものであった。
【０００６】
本発明は上記事情に鑑みてなされたものであって、その目的は、粘着テープの貼り付け後の剥離を容易に行うための摘み部となる非接着部を、当該テープの側縁にこれを折り返し重合させて長手方向に沿って形成し得、しかも当該非接着部を形成しながら片手で容易に対象物に貼り付けることができる粘着テープカッターを提供することにある。
【０００７】
【課題を解決するための手段】
上記の目的を達成するために、本発明の請求項１に係る粘着テープカッターにあっては、一端に粘着テープ巻付体を回転自在に支持する支持部が設けられるとともに、他端に該支持部に支持された粘着テープ巻付体から引き出した粘着テープを切り取るカット部が設けられた本体ブラケットを有し、該支持部から該カット部に至る粘着テープの引き出し経路の途中には、粘着テープの接着面側に配置される接着面側部材と非接着面側に配置される非接着面側部材とからなり、該両部材間に該粘着テープを掛け回して挿通することにより、該粘着テープの引き出し時に該粘着テープの長手方向に沿って少なくともその一側に、その側縁を所定幅で粘着面側に折り返して非接着部となる重合部を形成する重合部形成手段が該本体ブラケットに設けられ、該支持部の外周部には、該本体ブラケットに対して回動自在に装着されて該支持部に支持された該粘着テープ巻付体の少なくとも一部分を覆って該粘着テープ巻付体の外周面に接して握持部を形成するテープカバーが設けられていることを特徴とする。
【０００８】
また、請求項２に係る粘着テープカッターにあっては、前記重合部形成手段が、前記粘着テープの側部に所定の折り曲げ幅を残して前記粘着面側に接触する前記接着面側部材としての折り曲げローラーと、該折り曲げローラーの端面に対向し、該折り曲げローラに接触していない該粘着テープ側縁の非粘着面側に押圧接触して該側縁を該折り曲げローラーの端面との間に挟んで前記所定幅で粘着面側に折り曲げる前記非接着面側部材としての折り曲げガイド片と、折り曲げられた該粘着テープ側縁の非粘着面側に押圧接触して該側縁を鋭角に折り返すガイド部を有して、該粘着テープの接着面側に配置された前記接着面側部材としての折り返しガイド片と、該側縁が折り返された該粘着テープの非接着面側に押圧接触して該側縁が折り返された粘着テープの対向する粘着面同士を重合させて貼り合わせる押圧ローラとからなることを特徴とする。
【０００９】
【発明の実施の形態】
以下に、本発明に係る粘着テープカッターの好適な実施の形態について、添付図面を参照して詳細に説明する。
図１は本発明に係る粘着テープカッターの一実施形態を示す斜視図であり、図２は図１示すテープカッターの構造を示す一部切欠斜視図である。また、図３は図１に示すテープカッターの構造を示す一部切欠断面図、図４（ａ），（ｂ）は図２中の重合部形成手段における折り曲げ機構部、折り返し機構部の詳細をそれぞれ示す斜視図である。
【００１０】
これらの図に示すように、粘着テープカッター１０は、片面に粘着剤が塗布されて粘着面２ａＡとされた幅約５０ｍｍ程度の長尺な粘着テープ２ａをロール状に巻いた粘着テープ巻付体２から、粘着テープ２ａを所望の長さに引き出して切り取るために用いられるものであって、種々の物品をダンボールなどからなる包装箱に梱包する場合に、当該包装箱の蓋部を粘着テープ２ａで封止する際などに用いるものであり、その形状は作業者が手に持ったまま粘着テープ２ａの貼り付け及び切り取り作業が行えるようにされている。
【００１１】
即ち、このテープカッター１０は、テープ収容部７とカット部６とを具備した本体ブラケット１２を有する。この本体ブラケット１２はカット部６の外側に被せられて装着される可動ブラケット１３を更に有し、この可動ブラケット１３にはテープカバー１４が回動自在に装着されている。
【００１２】
本体ブラケット１２のテープ収容部７は支持板１２ａの一端（図１〜図３において図示する左側の部分）に一体的に設けられた筒体状のテープホルダー１１によって構成され、このテープホルダー１１の外周面に粘着テープ巻付体２の芯材の内周面が嵌合して、粘着テープ巻付体２がこのテープホルダー１１に回転自在に支持されるようになっている。また、支持板１２ａにはテープホルダー１１の内径に相応した円孔１２ｃが形成されていて、当該円孔１２ｃ及び円筒状のテープホルダー１１内に指を挿入し得るようになっている。また、上記テープホルダー１１とは逆側つまり図中右側の先端部には、当該支持板１２ａと側板１２ｂとに両端を支持されてカッター刃８が設けられ、粘着テープ巻付体２から引き出された粘着テープ２ａを切断するカット部６が構成されている。
【００１３】
可動ブラケット１３は、天板部１３ａとこの天板部１３ａの両側に対向する一対の側板部１３ｂとからなる断面コ字状の開閉部材であって、カット部６の外側に装着されて当該部位を開閉自在に覆っており、本体ブラケット１２の支持板１２ａと側板１２ｂとの先端部に回動ピン１３ｃを介して開閉自在に取り付けられている。
【００１４】
また、上記テープホルダー１１に装着された粘着テープ巻付体２はその外周面の一部がテープカバー１４で覆われるようになっている。このテープカバー１４は湾曲したカバー板部１４ａを有して可動ブラケット１３に対して回動自在に装着されており、粘着テープ巻付体２の外径寸法が変化しても、当該外形寸法の変化に追従して揺動し、常に粘着テープ巻付体２の外周面に接するようになっている。そして、手の親指部をその付け根の手のひら部分から当該テープカバー１４のカバー板部１４ａに押し当て、かつ他の指をテープホルダー１１の筒体内に挿入して握り締めることで、片手で当該テープカッター１０を握持することが可能とされていて、テープホルダー１１とテープカバー１４とによってテープカッター１０の握持部が形成されている。
【００１５】
また、カバー板部１４ａの両側部には、これに沿って粘着テープ２ａの支持部側に突出してリブ状の係止片１４ｂが設けられており、この係止片が１４ｂが粘着テープ巻付体２の両側部の端面に係合して、当該粘着テープ巻付体２がテープホルダ１１から脱落するのを防止するようになっている。また、当該係止片１４ｂはカバー板部１４ａの基端側からステー状に延出形成されていて、その先端部が可動ブラケット１３の側板部１３ｂに回動自在にピン１４ｃで結合されている。
【００１６】
ところで、テープ収容部７とカッター刃８との間には、本体ブラケット１２の支持板１２ａと側板１２ｂ及び可動ブラケット１３とによって囲繞されて、テープ挿通室１５が形成されており、このテープ挿通室１５には、粘着テープ２ａの長手方向の一側部の側縁２ａＳを粘着面側に折り返して貼り合わせて重合させることによって当該粘着テープ２ａの一側部に連続した非接着部分を形成するための重合部形成手段１６が設けられている。
【００１７】
テープ挿通室１５の一方側はテープ収容部７と連続しており、その他端側はカッター刃８が設けられたカット部６に連なっている。そして、テープホルダ１１に支持された粘着テープ巻付体２から引き出された粘着テープ２ａはテープ収容部７からこのテープ挿通室１５を経てカット部６に至るようになっている。
【００１８】
テープ挿通室１５に配置された重合部形成手段１６は、引き出される粘着テープ２ａの長手方向の一側部の側縁２ａＳを粘着面側の下方に略９０度まで折り曲げる折り曲げ機構部３０と、その折り曲げられた側縁２ａＳを更に略１８０度まで折り返して粘着面同士を対面させる折り返し機構部２０、およびその対面した粘着面同士を重合させて貼り合わせる貼り合わせ手段４０とからなる。
【００１９】
折り曲げ機構部３０は、図２、図３および図４（ａ）に示すように、位置決め手段としての位置決めローラー３１と折り曲げ手段としての折り曲げローラー３２、及び折り曲げガイド片６０とにより構成されている。
【００２０】
位置決めローラー３１は、テープ支持部としてのテープホルダ１１と上記折り曲げローラ３２との間に設けられて、粘着テープ巻付体２から引き出される粘着テープ２ａの折り曲げローラー３２への供給位置を位置決めするものであり、ローラー本体３１ａと、このローラー本体３１ａの端部に設けられたフランジ３１ｂとを有しており、可動ブラケット１３の側板部１３ｂに回転自在に軸支されて取り付けられている。ローラー本体３１には粘着テープ巻付体２から引き出された粘着テープ２ａの非接着面２ａＢが押圧接触するようになっており、フランジ３１ｂには粘着テープ２ａの一方の側端が接するようになっている。そして、粘着テープ巻付体２から引き出された粘着テープ２ａを折り曲げローラー３２に向けて、その高さ位置と幅方向位置とを位置決めして案内するようになっている。
【００２１】
折り曲げローラー３２は折り返し機構部２０と位置決めローラー３１との間に位置して、支持板１２ａに回転自在に軸支されて取り付けられている。折り曲げローラー３２の一方の端部３２ａは粘着テープ２ａの粘着面２ａＡ上に位置しており、当該粘着テープ２ａの一側部に所定の折り曲げ幅Ｗ２を残して粘着面側に押圧接触する。つまり、図２及び図４（ａ）に示すように、この折り曲げローラー３２の外周面３２ｂは、粘着テープ巻付体２から引き出される粘着テープ２ａの粘着面２ａＡに対して、その全幅に亘っては接触されずに所定範囲部分にだけ接し、折り曲げ予定幅Ｗ２の部分の粘着面２ａＡには接しないようになっている。また、この外周面３２ｂには多数の溝部が形成されており、粘着面２ａＡとの接触面積を減少させて粘着テープ２ａと接着されるのを防止するようになっている。そして、位置決めローラー３１によって案内される粘着テープ２ａの一側部をその端面３２ａ部分で折り曲げて、この折り曲げ状態にて折り返し機構部２０方向へ案内するようになっている。
【００２２】
また。折り曲げローラー３２の端面３２ａに対向配置されて、当該折り曲げローラ３２に接触していない粘着テープ２ａの側縁２ａＳ部分を所定の折り曲げ幅Ｗ２で粘着面側に折り曲げるべく、当該折り曲げ幅Ｗ２部分の非粘着面側に押圧接触して、当該側縁２ａＳを折り曲げローラー３２の端面３２ａとの間に挟んで上記所定幅Ｗ２で粘着面側に折り曲げる非接着面側部材としての折り曲げガイド片６０が、コ字状の可動ブラケット１３における側板部１３ｂ内面に設けられている。ここで、当該折り曲げガイド片６０は折り曲げローラー３２の端面外周縁よりも更に折り返し機構２０側を指向して径方向外方に延びており、その延出端部には略９０度に折り曲げられた粘着テープ２ａの側縁２ａＳの非粘着面に当接して、当該側縁２ａＳの折り曲げ角度略１２０度に、つまり粘着面側で略６０度の鋭角に狭めるように案内するガイド突起６２が三角形状に突出形成されて設けられている。なお、当該ガイド突起６２は不可欠のものではなく省略可能である。
【００２３】
折り返し機構部２０は、図２、図３および図４（ａ）に示すように、折り曲げられた粘着テープ２ａ側縁２ａＳ部分の非粘着面側に押圧接触して、当該側縁２ａＳを略１８０度まで折り返すためのガイド部を有した折り返しガイド片でなる。本実施形態にあっては、この折り返しガイド片は、前記粘着テープ２ａの側縁２ａＳの折り曲げ角度を略１３５度まで（粘着面同士の角度で略４５度の鋭角まで）案内して狭める第１のガイド部としての傾斜ブロック２１と、この傾斜ブロック２１に隣接配置されて上記折り曲げ角度を略１８０度まで案内して折り返す、第２のガイド部としての切欠ブロック２２とから構成されており、両ブロック２１，２２は粘着テープ２ａ下方の接着面側に配置されて、テープホルダ１１とカッター刃８との略中央に位置して支持板１２ａに取り付けられている。
【００２４】
即ち、傾斜ブロック２１は、テープ挿通室１５における粘着テープ２ａの粘着面２ａＡに対して鋭角となる傾斜角α（≒４５度）を有する傾斜面２１ａを備えて、支持板１２ａに固定されている。
【００２５】
また、切欠ブロック２２は、粘着テープ２ａの厚み寸法より僅かに大きく形成されたスリツト状の挿出口２３ａと、この挿出口２３ａより大きく形成された挿入口２３ｂとを有するくさび形の切欠部２３を有している。この切欠ブロック２２は切欠部２３の図３及び図４（ｂ）中の上方に位置する天板ブロック２２ａと同下方に位置するベースブロック２２ｂとに分割されており、天板ブロック２２ａは可動ブラケット１３に固定され、ベースブロック２２ｂは傾斜ブロック２１と一体に支持板１２ａに固定されている。
【００２６】
貼り合わせ手段４０は、側縁２ａＳが折り返された粘着テープ２ａの対向する粘着面同士を重合させて貼り合わせるものであって、図２と図３とに示すように、折り返し機構部２０とカット部６との間に設けられている。本実施形態では、当該貼り合わせ手段４０はゴム製の押圧ローラ４１で構成されており、この押圧ローラ４１は側縁２ａＳが折り返された粘着テープ２ａの非接着面側に接触してこれを押圧し、当該粘着テープ２ａの接着面２ａＡを貼り付け対象物に対して押しつけて貼着させることになる。そして、この押圧ローラ４１は可動ブラケット１３の対向する一対の側板部１３ｂに両端が回転自在に軸支されて取り付けられている。
【００２７】
また、このテープカッター１０は、粘着テープ巻付体２を交換する際などには、開閉部材としての可動ブラケット１３を本体ブラケット１２の支持板１２ａ及び側板１２ｂとに対して回動ピン１３ｃを中心にして、図３に一点鎖線で示す位置まで揺動させて、粘着テープ２ａの挿通路を開放させておこなうようになっている。このため、本体ブラケット１２の支持板１２ａと側板１２ｂとには、可動ブラケット１３の側板部１３ｂに取り付けられた天板ブロツク２２ａ、位置決めローラー３１、および押圧ローラ４１の接続部の揺動軌跡に沿って、干渉を防止するための溝部６８が形成されている。したがって、可動ブラケット１３を開くことにより非接着面側部材としての天板ブロック２２ａ、位置決めローラー３１、および押圧ローラ４１は粘着面側部材としての折り曲げローラー３２、傾斜ブロック２１およびベースブロック２２ｂに対して回動して離れるので、粘着テープ２ａの重合部形成手段１６へのセット作業を容易に行うことができる。
【００２８】
つまり、テープカッター１０の開閉部材としての可動ブラケット１３は、テープ挿通室１５に挿通される粘着テープ２ａに対して、当該可動ブラケット１３に取り付けられた非接着面側部材を押圧接触させる閉位置と押圧接触させない開位置とに切り替えて両位置間を移動して開閉可能に設けられるとともに、開位置では非接着面側部材を接着面側部材から離間させて該粘着テープ２ａの挿通路を開放するようになっている。
【００２９】
次に、このテープカッター１０を用いて行う、粘着テープ２ａの貼り付けについて説明する。
まず、可動ブラケット１３を開放位置に開いて、粘着テープ巻付体２をテープホルダー１１に装着してテープ収容部７に収容する。そして、この状態から粘着テープ２ａの先端部を指先で摘んで粘着テープ巻付体２から粘着テープ２ａを引き出し、当該引き出した粘着テープ２ａを重合部形成手段１６の非接着面側部材と接着面側部材との間の挿通路にセットしてその先端部がカッター刃８に位置するようにして可動ブロック１３を閉じる。
そして、粘着テープ２ａの先端を摘んで、粘着テープ巻付体２から更に引き出すと、当該引き出された部分には張力が作用することになる。このとき、図４（ａ）に示すように、折り曲げローラー３２はその端部３２ａが粘着テープ２ａの粘着面２ａＡ上に位置するようになっていて、粘着テープ２ａの長手方向の一側端は折り曲げローラ３２に接触していない状態になっているから、当該粘着テープ２ａは折り曲げローラー３２の端部３２ａの外周縁に当たった部分でその側端縁２ａＳが粘着面２ａＡを内側にしてその長手方向に沿って折れ曲げられながら、当該端部３２ａと折り曲げガイド片６０との間に入り込んでいき、当該部位で略９０度まで折り曲げられた状態とされる。また、さらに突起６２によって略６０度の鋭角にまで曲げられる。
【００３０】
また、図４（ｂ）に示すように、傾斜ブロック２１の傾斜面２１ａには粘着テープ２ａの一方の側端つまり側部における非接着面２ａＢが接するようになっており、粘着テープ２ａの一方の側端は粘着面２ａＡを内側として更なる鋭角に折り曲げられることになる。
【００３１】
また、切欠ブロック２２においては、粘着テープ２ａは、傾斜ブロック２１により鋭角に折り曲げられた状態で挿入口２３ｂから挿入され、切欠部２３内で徐々にその折り曲げ度合いを増し、粘着テープ２ａの厚み寸法より僅かに大きく形成されている挿出口２３ａにおいて対向する粘着面２ａＡ同士がほぼ平行となるまで折り曲げられる。つまり、挿出口２３ａから挿出された粘着テープ２ａの一方の側端には粘着面２ａＡを内側とした重合部５０が連続的に形成されることになる。また、このような一連の工程は、粘着テープ巻付体２から順次粘着テープ２ａを引き出すことにより連続的に行われることになる。
そして、重合部５０がきれいに形成された部分がカッター部に届くまで粘着テープ２ａを引き出して、カッター刃８で切断することで、粘着テープ巻付体２のテープカッター１０への装着が終了する。
【００３２】
ここで、折り返し機構部２０により形成される重合部５０の寸法は、折り曲げローラー３２により所定の寸法Ｗ２に規制されるようになっている。すなわち、図４（ａ）に示すように、粘着テープ２ａは折り曲げローラー３２の外周面３２端部３２ａを越えて当該折り曲げローラ３２の外周面３２ｂに接した部分では折れ曲がることはなく、重合部５０の寸法は折り曲げローラ３２の端部３２ａから側方に突出した非接触部分の側端縁２ａＳの所定幅Ｗ２に保たれて形成されるようになっている。
【００３３】
また、この折り曲げローラー３２により規制される重合部５０の寸法Ｗ２は、粘着テープ２ａと折り曲げローラー３２との幅方向の位置関係により変化することになるが、このテープカッター１０では、折り曲げローラー３２に粘着テープ２ａを案内する位置決めローラー３１を設けることにより、粘着テープ２ａの幅方向の位置ズレを規制するようにしている。つまり、位置決めローラー３１のフランジ３１ｂと接する粘着テープ２ａの側端は、重合部５０が形成される際に生じる張力によりその重合部５０側に向かって、つまり図４（ａ）中の右上方に向かって移動しようとするが、粘着テープ２ａの側端はこの位置決めローラー３１のフランジ３１ｂに接触することにより移動が制限されているため、粘着テープ２ａの幅方向の位置は常に一定に保たれることになる。
【００３４】
そして、段ボール箱などの対象物に粘着テープ２ａを貼り付ける場合には、テープホルダー１１とテープカバー１４とによって形成されるテープカッター１０の握持部を片手で握って持ち、粘着テープ２ａの先端を押圧ローラ４１で貼り付け対象物に押し当てながら、所望の貼り付けラインに沿ってテープカッター１０を移動操作して、粘着テープ２ａをその巻付体２から引き出しながら貼り付けていく。このとき、手によって握持されたテープカバー１４は粘着テープ２ａの巻付体２の外周部に押圧接触されていることになり、その押圧力が巻付体２の回転のブレーキとなって、巻付体２から引き出される粘着テープ２ａに適度な張力が作用して、この張力は折り曲げローラー３２部での粘着テープ２ａの折り曲げを円滑にするように機能する。
【００３５】
また、粘着テープ２ａの側縁２ａＳの折り返されて対向する粘着面２ａＡ同士が互いに押し付けられて、粘着面２ａＡの一方の側端つまり側部に、側縁２ａＳが折り返されて非接着部分となったが確実に重合形成されながら、粘着テープ２ａが対象物に貼り付けられることになる。そして、段ボール箱の蓋部分などに所望の長さに亘って、粘着テープ２ａを引き出して貼り付けたならば、テープカッター１０のカッター刃８を粘着テープ２ａに押し当てて切断することになる。
【００３６】
このように、このテープカッター１０を用いることにより、粘着テープ２ａの粘着面２ａＡの一方の側端に非接着部分である重合部５０を長手方向に沿って容易に連続形成しながら、当該粘着テープ２ａを貼り付けていくことができる。また、これにより爾後の開封持には、その重合部５０を摘み部となして、当該重合部を摘んで容易に粘着テープ剥がすことができる。
【００３７】
図５〜図８は本発明に係る粘着テープカッターの第２実施形態を示し、図５は斜視図、図６は下面図、図７は側面図、図８は折り返し機構部を拡大して示す斜視図である。この第２実施形態にあっても、その主要構成は前述の第１実施形態と同様であり、以下においては、その共通する同一の部材には同一の符合を付して、その詳しい説明は省略する。
即ち、この第２実施形態のテープカッター１０Ａにあっても、一端に粘着テープ巻付体２を回転自在に支持する支持部１１が設けられるとともに、他端にこの支持部１１に支持された粘着テープ巻付体２から引き出した粘着テープ２ａを切り取るカット部６が設けられた本体ブラケット１２を有する。
【００３８】
ここで、当該第２実施形態では、可動ブラケットは設けられておらず、本体ブラケット１２の先端に設けられるカット部６は、支持板１２ａとこの支持板１２ａから側方に向けてＬ字状に折り曲げられて一体形成された側板１２ｂとの間に押圧ローラ４１がその両端を軸支されて設けられ、この押圧ローラー４１の上側部分で支持板１２ａと側板部１２ｂとを繋いでいる天板部１２ｃの先端にカッター刃８が取り付けられて構成されている。
【００３９】
そして、支持部１１からカット部６に至る粘着テープ２ａの引き出し経路の途中には、本体ブラケット１２に支持されて重合部形成手段１６が設けられている。この重合部形成手段１６は、前記第１実施形態と同様に、粘着テープ２ａの接着面側に配置される接着面側部材と非接着面側に配置される非接着面側部材とからなり、これら両部材間に粘着テープ２ａを掛け回して挿通することにより、当該粘着テープ２ａの引き出し時にこの粘着テープ２ａを接着面側部材と非接着面側部材とに押圧接触させて、その長手方向の側縁２ａＳに沿ってその一側に、当該側縁２ａＳを所定幅Ｗ２で粘着面２ａＡ側に折り返して非接着部となる重合部５０を形成するものである。
【００４０】
即ち、この重合部形成手段１６は、折り曲げ機構部３０、折り返し機構部２０、貼り合わせ手段４０とからなる。折り曲げ機構部３０は、粘着テープ２ａの側部に所定の折り曲げ幅Ｗ２を残して前記粘着面２ａＡ側に接触する前記接着面側部材としての折り曲げローラー３２と、この折り曲げローラー３２の端面３２ａに対向して配置された折り曲げガイド片６０とからなり、折り曲げローラ３２は支持板に片持ち状態で軸支され、折り曲げガイド片６０は支持板１２ａの内面に固着されて設けられている。ここで、この折り曲げガイド片６０は、折り曲げローラー３２に接触していない粘着テープ２ａの側縁２ａＳの非粘着面側に押圧接触して当該側縁２ａＳを折り曲げローラー３２の端面３２ａとの間に挟んで前記所定幅Ｗ２で粘着面２ａＡ側に折り曲げるものであり、前述の第１実施形態の場合と同じである。
【００４１】
また、折り返し機構部２０も第１実施形態の場合と基本的に同じであるが、第１実施形態における天板ブロック２２ａに置換されて、押圧ローラ２２ｃが設けられている。即ち、粘着テープ２ａの側縁２ａＳは、折り返し機構部２０の折り返しガイド片をなす傾斜ブロック２１（第１のガイド部）にその非粘着面側が押圧接触して粘着面側が略４５度の鋭角にまで折り曲げられた後、更にベースブロック２２ｂ（第２のガイド部）に押圧接触して略１８０度に折り返されるようになっている。このベースブロック２２ｂは、上部にくさび形の切欠部を有し、この切欠部の直上には傾斜ブロック２１に近接されて押圧ローラ２２ｃが支持板１２ａに片持ち支持されて配設されている。また、ベースブロック２２ｂは傾斜ブロック２１と一体に支持板１２ａに固定されている。
【００４２】
このように、天板ブロック２２ａに代えて押圧ローラ２２ｃを設けて、当該押圧ローラ２２ｃに粘着テープ２ａを押し付けることにより、粘着テープ２ａに作用させる張力を低減しつつ、粘着テープ側縁２ａＳの折り返しをスムースにかつ確実に行えるようになり、引き出し時の操作力を軽減してその操作性の可及的な向上が図れるようになる。ここで、粘着テープ２ａの押圧ローラ２２ｃへの巻回角度を若干大きめにして掛け回して、粘着テープ２ａの押圧力（押し付け力）が少し大きくなるように設定すれば、当該押圧ローラ２２ｃで粘着テープ２ａの対面した粘着面同士を重合させて貼り合わせることもできる。
【００４３】
また、貼り合わせ手段４０は、押圧ローラ４１とこの押圧ローラー４１の上流側に設けられたガイドローラー４２とからなる。このガイドローラー４２は接着面側に配されて、支持板１２ａに片持ち状態で支持されて設けられ、その長さは重合部５０の幅Ｗ２をカバーして当接する程度に短く形成されていて、粘着テープ２ａの先端部近傍の重合部５０側を係止している。また、上記押圧ローラ２２ｃの長さも重合部５０の幅Ｗ２をカバーして当接する程度に短く形成されていて、粘着テープ２ａを挿通装着するのが容易となるようにされている。また、本体ブラケット１２は支持板１２ａによって粘着テープ２ａ及びその挿通経路の一側面だけを覆っていて、他側面は開放させた形態になっており、この開放された他側面側から粘着テープ２ａを挿通路に装着するのが容易に行えるようになっている。
【００４４】
また、筒状体からなる支持部１１の外周部には、本体ブラケット１２の上記天板部１２ｃの後端に回動自在に装着されてテープカバー１４が設けられている。そして、このテープカバー１４は、支持部１１に支持された粘着テープ巻付体２の少なくとも一部分を覆って粘着テープ巻付体２の外周面に常に接して、粘着テープ巻付体２の径寸法変化に追従し、当該支持部１１と共に握持部を形成している。
【００４５】
そして、以上のように構成された第２実施形態のテープカッター１０Ａにあっても、前述した第１実施例のテープカッター１０と同様に、粘着テープ２ａの粘着面２ａＡの一方の側端に非接着部分である重合部５０を長手方向に沿って容易に連続形成しながら、当該粘着テープ２ａを貼り付けていくことができる。また、これにより爾後の開封持には、その重合部５０を摘み部となして、当該重合部を摘んで容易に粘着テープ剥がすことができる等、同等の作用効果が得られる。
【００４６】
【発明の効果】
以上に詳細に説明したように、本発明に係る粘着テープカッターによれば、粘着テープの対象物への貼り付け後における当該粘着テープの剥離を容易に行うための摘み部となる非接着部を、当該粘着テープ引き出し時に、その側縁を折り返し重合させて長手方向に沿って連続して形成し得、しかも当該非接着部を形成しながら片手で容易に対象物に貼り付けることができる。
【図面の簡単な説明】
【図１】本発明に係る第１実施形態の粘着テープカッターを示す斜視図である。
【図２】図１に示すテープカッターの構造を示す一部切欠斜視図である。
【図３】図１に示すテープカッターの構造を示す側面図である。
【図４】（ａ），（ｂ）は図２中の重合部形成手段における折り曲げ機構部、折り返し機構部の詳細をそれぞれ示す斜視図である。
【図５】本発明に係る第２実施形態の粘着テープカッターを示す斜視図である。
【図６】図５に示すテープカッターの下面図である。
【図７】図５に示すテープカッターの側面図である。
【図８】図５中に示す折り返し機構部を拡大して示す斜視図である。
【符号の説明】
２  粘着テープ巻付体
２ａ  粘着テープ                  ２ａＳ  側縁
２ａＡ  粘着面                    ２ａＢ  非粘着面
６  カット部                      ７  テープ収容部
１０，１０Ａ  テープカッター      １１  テープホルダー
１２  本体ブラケット
１２ａ  支持板                    １２ｂ  側板
１３  可動ブラケット              １４  テープカバー
１５  テープ挿通室                １６  重合部形成手段
２０  折り返し機構部
２１  傾斜ブロック                ２１ａ  傾斜面
２２  切欠ブロック                ２２ａ  天板ブロック
２２ｂ  ベースブロック            ２２ｃ  押圧ローラ
２３  切欠部                      ３０  折り曲げ機構部
３１  位置決めローラー
３１ａ  ローラー本体              ３１ｂ  フランジ
３２  折り曲げローラー
３２ａ  端面                      ３２ｂ  外周面
４０  貼り合わせ手段
４１，４２  押圧ローラー（押圧部材）
５０  重合部
６０  折り曲げガイド片
６２  ガイド突起
【図１】
2004331296.tif 000003
【図２】
2004331296.tif 000004
【図３】
2004331296.tif 000005
【図４】
2004331296.tif 000006
【図５】
2004331296.tif 000007
【図６】
2004331296.tif 000008
【図７】
2004331296.tif 000009
【図８】
2004331296.tif 000010